(57)【要約】【課題】圃場面側にシートを敷設するシート敷設機構と、圃場面側のシートを切断する切断装置とを備えた移植機において、前記切断装置をコンパクト且つ低コストで設けることのできる移植機を提供することを課題としている。【解決手段】走行機体３と、該走行機体３の前部側方側に設けた支持部材２４を介して支持された施肥タンク１９と、前記走行機体３の後部に連結された植付作業機６と、前記走行機体３の走行に伴ってシートロール７のシート７ａが圃場面側に繰出されるように構成されたシート敷設機構８と、該シート敷設機構８によって圃場面側に敷設されたシート７ａを切断する切断装置２１とを備え、前記切断装置２１は、走行機体３の前部側方側に配置されるとともに、シート７ａを切断可能なカッター部５１の位置を操作する操作レバー５４を有し、前記操作レバー５４は、前記支持部材２４の機体内側に揺動可能に設けた。【選択図】図５
2019037195.tif 000002
【特許請求の範囲】
【請求項１】
走行機体（３）と、
該走行機体（３）の前部側方側に設けた支持部材（２４）を介して支持された施肥タンク（１９）と、
前記走行機体（３）の後部に連結された植付作業機（６）と、
該植付作業機（６）側に、シートロール（７）を収容するとともに、前記走行機体（３）の走行に伴ってシートロール（７）のシート（７ａ）が圃場面側に繰出されるように構成されたシート敷設機構（８）と、
該シート敷設機構（８）によって圃場面側に敷設されたシート（７ａ）を切断する切断装置（２１）とを備え、
前記切断装置（２１）は、走行機体（３）の前部側方側に配置されるとともに、シート（７ａ）を切断可能なカッター部（５１）の位置を操作する操作レバー（５４）を有し、
前記操作レバー（５４）は、前記支持部材（２４）の機体内側に揺動可能に設けた
移植機。
【請求項２】
走行機体（３）の左右側方側に保持される予備のシートロール（７）を覆うカバー体（７１）を設け、
該カバー体（７１）は、前記支持部材（２４）の機体外側に設けたカバー体支持部（７２）により支持した
請求項１に記載の移植機。
【請求項３】
前記支持部材（２４）の上部側に予備苗台（１２）を設け、
前記カバー体支持部（７２）は、前記支持部材（２４）側から上方に延設されるとともに、前記予備苗台（１２）の下方側で左右外側に向けて延設されるように構成された
請求項２に記載の移植機。
【発明の詳細な説明】
【技術分野】
【０００１】
本発明は、圃場面にシートを敷設することができる移植機に関する。
【背景技術】
【０００２】
走行機体と、該走行機体の前部側方側に設けた支持部材を介して支持された施肥タンクと、前記走行機体の後部に連結された植付作業機と、該植付作業機側に、シートロールを収容するとともに、前記走行機体の走行に伴ってシートロールのシートが圃場面側に繰出されるように構成されたシート敷設機構と、該シート敷設機構によって圃場面側に敷設されたシートを切断する切断装置とを備え、走行機体が圃場面を折返し走行した際に、隣接する前作業工程で敷設されたシートの端部側を前記切断装置で切断しながら作業走行することにより、敷設されたシートの幅を調整できる特許文献１に記載の移植機が従来公知である。
【先行技術文献】
【特許文献】
【０００３】
【特許文献１】特開２００５−２１００９号公報
【発明の概要】
【発明が解決しようとする課題】
【０００４】
上記文献では、前記切断装置のカッター部を、圃場面に敷設されたシートを切断する作業姿勢と収容姿勢とに切換可能に構成して、切断装置全体をよりコンパクトに構成したものであるが、前記カッター部の姿勢切換を操作する操作レバーを支持するブラケットを走行機体の操縦部側に別途に設ける必要があるため、コストが高くなるとともに操縦部側のスペースを圧迫する場合があるという課題があった。
【０００５】
本発明は、圃場面側にシートを敷設するシート敷設機構と、圃場面側のシートを切断する切断装置とを備えた移植機において、前記切断装置をコンパクト且つ低コストで設けることのできる移植機を提供することを課題としている。
【課題を解決するための手段】
【０００６】
上記課題を解決するため、本発明は、第１に、走行機体３と、該走行機体３の前部側方側に設けた支持部材２４を介して支持された施肥タンク１９と、前記走行機体３の後部に連結された植付作業機６と、該植付作業機６側に、シートロール７を収容するとともに、前記走行機体３の走行に伴ってシートロール７のシート７ａが圃場面側に繰出されるように構成されたシート敷設機構８と、該シート敷設機構８によって圃場面側に敷設されたシート７ａを切断する切断装置２１とを備え、前記切断装置２１は、走行機体３の前部側方側に配置されるとともに、シート７ａを切断可能なカッター部５１の位置を操作する操作レバー５４を有し、前記操作レバー５４は、前記支持部材２４の機体内側に揺動可能に設けたことを特徴としている。
【０００７】
第２に、走行機体３の左右側方側に保持される予備のシートロール７を覆うカバー体７１を設け、該カバー体７１は、前記支持部材２４の機体外側に設けたカバー体支持部７２により支持したことを特徴としている。
【０００８】
第３に、前記支持部材２４の上部側に予備苗台１２を設け、前記カバー体支持部７２は、前記支持部材２４側から上方に延設されるとともに、前記予備苗台１２の下方側で左右外側に向けて延設されるように構成されたことを特徴としている。
【発明の効果】
【０００９】
走行機体の前部側方側に配置される前記切断装置は、シートを切断可能なカッター部の位置を操作する操作レバーを有し、該操作レバーを、前記支持部材の機体内側に揺動可能に設けたことにより、該操作レバーを揺動可能に支持する支持部材を、施肥タンク等の支持に用いられる部材と兼用させたことにより、部品点数を削減することができるため、前記切断装置の設置コストを低く抑えることができる。
【００１０】
また、走行機体の左右側方側に保持される予備のシートロールを覆うカバー体を設け、該カバー体は、前記支持部材の機体外側に設けたカバー支持体により支持したものによれば、走行中に走行機体の側方側に支持した予備のシートロールが汚れたり傷ついたりすることを防止できるとともに、該カバー体の支持部を前記支持部材と兼用させたことにより、部品点数が削減することもできる。
【００１１】
また、前記支持部材の上部側に予備苗台を設け、前記カバー支持体は、前記支持部材側から上方に延設されるとともに、前記予備苗台の下方側で左右外側に向けて延設されるように構成されたものによれば、カバー体を支持するカバー支持体を予備苗台の下方側のスペースに配置したことにより、前記カバー体をよりコンパクトに構成することができる。
【図面の簡単な説明】
【００１２】
【図１】マルチ移植機の全体側面図である。
【図２】マルチ移植機の全体平面図である。
【図３】予備ロール保持部の構成を示した要部斜視図である。
【図４】切断装置及びカバー体を示した要部斜視図である。
【図５】操作レバーを示した操縦部側からの要部斜視図である。
【図６】支持ブラケットの取付状態を示した要部斜視図である。
【図７】前記カッター部を示した前方斜視図である。
【図８】カバー支持体を示した要部斜視図である。
【発明を実施するための形態】
【００１３】
図１及び図２は、本発明のマルチ移植機の全体側面図及び全体平面図である。本発明のマルチ移植機は、前輪１，１及び後輪２，２によって支持された走行機体３と、該走行機体３の後方に昇降リンク４を介して昇降自在に連結されている植付作業機６と、圃場に敷設されるマルチシート（以下、単にシート）をロール状にしたロール体（シートロール）７からシート７ａを繰出して、該シート７ａを圃場面側に敷設するシート敷設機構８とを備えている。
【００１４】
前記走行機体３は、機体フレーム９によって支持されており、該機体フレーム９の前部に搭載されてボンネット１１で囲繞されたエンジン（図示しない）と、該ボンネット１１の左右側方側に支持されて予備苗が載置される予備苗台１２と、該ボンネット１１の後方にオペレータが乗込んで操向操作を行う操縦部１３とが設けられている。
【００１５】
また、該走行機体３は、前記ボンネット１１の左右に配置されたフロントステップ１４と、操縦部１３の左右側方側に配置されたサイドステップ１６と、該サイドステップ１６の後側に一段高くして配置されたリヤステップ１７とが設けられており、該サイドステップ１６の左右外側には、操縦部１３の乗降口となるサイドステップ１６への乗降りに使用される昇降ステップ１８が設けられている。
【００１６】
また、該走行機体３の左右側方側には、該走行機体３の前部に圃場に散布する肥料が貯留される施肥タンク１９と、該施肥タンク１９の近傍に隣接する圃場面に敷設されているシート７ａを切断する切断装置２１とが配置されており、前記昇降ステップ１８の後方側に予備の前記ロール体７を走行機体３に沿って前後方向に沿わせた状態で保持する予備ロール保持部２２が配置され、走行機体３の側方全体に亘って前記予備ロール保持部２２によって保持されたロール体７を覆う予備ロールカバー部２３が配置されている。該切断装置２１及び予備ロールカバー部２３の具体的な構成については後述する。
【００１７】
上記予備苗台１２は、基端側が機体フレーム９側に支持された門型の支持フレーム２４の上面側に取付支持された支持ロッド１５，１５を介して、走行機体３の前部側方側に支持されており、該支持フレーム２４側には、予備苗台１２の他、前記施肥タンク１９と、前記切断装置２１と、前記予備ロールカバー部２３とが支持されている（図１及び図２参照）。
【００１８】
上記操縦部１３は、オペレータが着座する座席２６と、該座席２６の前方側に配置されたステアリングハンドル２７と、走行変速を操作する主変速レバー２８とが設けられている。
【００１９】
前記植付作業機６は、後方下側に向かって延設されてマット苗が載置される苗載台３１と、該苗載台３１の下端側から苗を掻取って圃場側へ植付けるように回転駆動する植付部３２とを備え、油圧シリンダの伸縮作動を介して走行機体３側に昇降可能に連結されている。
【００２０】
前記シート敷設機構８は、前記植付部３２の前方側で前記ロール体７を横架収納するロール収納部３３と、該ロール収納部３３に収容されたロール体７から後方に向かって繰出されるシート７ａをガイドするシートガイド３４と、該シートガイド３４の上方で上下揺動自在に吊下げられた２つの円筒体からなるローラフロート３６と、該ローラフロート３６の後方に吊下げられたシート鎮圧ローラ３７と、ロール体７から繰出されたシート７ａを切断するカッター装置３８とを備えている（図１参照）。
【００２１】
上記ロール収納部３３は、側方側に開閉可能な収納口が設けられるとともに、該収納口から前記ロール体７を出し入れ自在に収納して保持する円筒状に形成されており、前記植付部３２の前方側に設けられている。
【００２２】
該ロール収納部３３に収納されたロール体７から後方側に繰出されたシート７ａは、前記シートガイド３４上にガイドされるとともに、前記ローラフロート３６及びシート鎮圧ローラ３７によって上側から押さえられた状態で、随時圃場面側へと繰出される。また、該ロール収納部３３内のロール体７側から圃場面側に繰出されたシート７ａは、前記シート鎮圧ローラ３７の後方に配置された前記カッター装置３８によって切断される。
【００２３】
上記構成の移植機によれば、植付作業機６を圃場面側に降ろした状態で走行機体３を走行させると、前記ロール収納部３３内のロール体７からシート７ａを順次後方に繰出し、圃場面をシート７ａで被覆することができる。これにより、前記植付作業機６は、植付部３２によって苗載台３１上のマット苗から苗を掻取り、圃場面を覆ったシート７ａの上から植付作業を行うことができる。
【００２４】
ちなみに、隣接する前工程で圃場面に敷設されて、現工程の作業面上に張出しているシート７ａは、前記切断装置２１によって現工程の前輪１の前方側で切断することができるため、前工程で敷設されたシート７ａの幅を調整できるとともに、該シート７ａを走行機体３が踏み荒らしてシート７ａを破損させてしまう事態も効率的に防止することができる。該切断装置２１の具体的な構成については後述する。
【００２５】
次に、図１乃至３に基づき、前記予備ロール保持部の構成について説明する。図３は、予備ロール保持部の構成を示した要部斜視図である。前記予備ロール保持部２２は、ロール体７の上面側を押えるように湾曲形成された上面支持体４１と、該上面支持体４１の前方側でロール体７の下面側を支持するように湾曲形成された下面支持体４２と、上面支持体４１及び下面支持体４２を支持する支持杆４３と、該支持杆４３の後端側を走行機体３の側方後部側であって前記リヤステップ１７の後方側で水平方向に回動可能に支持する支持部４４と、前記座席２６の後方側に左右一対設けた支持部４４同士を連結して走行機体３側に支持する横方向の連結体４６とを備えている。
【００２６】
該構成によれば、前記予備ロール保持部２２は、前記ロール体７の後部側を上下で挟むようにして保持することができる。具体的に説明すると、前記予備ロール保持部２２は、前記下面支持体４２によって前記ロール体７の重心の後方側を下支えするとともに、該下面支持体４２を軸に上方回動するロール体７の後端上面側を、前記上面支持体４１によって押えることによって、予備のロール体７を走行機体３の側方側に沿わせた状態で保持することができる。
【００２７】
また、前記予備ロール保持部２２は、前記下面支持体４２に上方に突出した棒状の把持部４５が設けられており、作業者は、該把持部４５を把持することにより、前記支持杆４３（予備のロール体７）をよりスムーズに左右外側に向けて水平回動操作することができる。ちなみに、前記支持杆４３側には、支持杆４３の水平回動をロックする規制部が設けられている。
【００２８】
すなわち、予備ロール保持部２２により保持されたロール体７は、前記施肥タンク１９の左右外側で、走行機体３の前後方向全体に沿うように保持されるため、該ロール体７により操縦部１３への乗降口が塞がれた状態となるが、前記把持部４５を用いてロール体７が保持されたまま予備ロール保持部２２を水平回動させることにより、ロール体７によって塞がれていた操縦部１３の乗降口側を開放して容易に乗降り可能な状態とすることができる。
【００２９】
次に図１乃至８に基づき、前記切断装置及び予備ロールカバー部の構成について説明する。図４は、切断装置及び予備ロールカバー部を示した要部斜視図であり、図５は、操作レバーを示した操縦部側からの要部斜視図であり、図６は、支持ブラケットの取付状態を示した要部斜視図であり、図７は、前記カッター部を示した前方斜視図であり、図８は、カバー支持体を示した要部斜視図である。
【００３０】
前記切断装置２１は、圃場面に敷設されたシートを切断するカッター部５１と、該カッター部５１を圃場面に作用する作用姿勢と上方に収容された格納姿勢とに切換える連係機構５３と、該連係機構５３を介したカッター部５１の姿勢切換を操縦部１３側から操作する操作レバー５４と、格納姿勢のカッター部５１を格納する格納部５６とを備え、該操作レバー５４及び連係機構５３が、支持ブラケット５７を介して、前記支持フレーム２４側に支持されている。また、該切断装置２１は、走行機体３の前部側に左右一対設けられている（図４及び図５参照）。
【００３１】
前記支持ブラケット５７は、門型の前記支持フレーム２４の前後に配置された上下方向の棒状部分に架け渡されるように取付けられた複数（図示する例では少なくとも３つ）のブラケットから構成されており、具体的には、支持フレーム２４の後端側に取付けられた第１支持ブラケット５７Ａと、該第１支持ブラケット５７Ａに連結されて支持フレーム２４の前後中央側に配置された第２支持ブラケット５７Ｂと、該第２支持ブラケット５７Ｂと支持フレーム２４の前端側との間に配置される第３支持ブラケット５７Ｃとから構成されている。
【００３２】
また、該支持ブラケット５７は、前記第１支持ブラケット５７Ａと第２支持ブラケット５７Ｂは、前記支持フレーム２４の走行機体３内面側に配置され、前記第３支持ブラケット５７Ｃは、前記支持フレーム２４の走行機体３外面側に配置されており、特に、前記第１支持ブラケット５７Ａと第２支持ブラケット５７Ｂとは、門型の支持フレーム２４の上部に寄せて配置することで、支持フレーム２４の下部側に後述する視認部Ｓが形成されている（図５及び図６参照）。
【００３３】
前記カッター部５１は、前記第３支持ブラケット５７Ｃ下部の左右外面側に設けたアングル部材５８と、該アングル部材５８を介して前記施肥タンク１９の下方から前方に突出されるように支持された棒状の支持ステー５９と、該支持ステー５９の前端側で前後揺動可能に支持されて且つ下方に向かって延設されるとともに中途部が左右外側に屈曲形成されたアーム部材６１と、該アーム部材６１から下方に向かって延設された左右一対の軸支部６２，６２と、該軸支部６２，６２を介して軸回転可能に支持される円盤状のカッター６３と、該カッター６３の前方側に配置されて圃場面のシートを押える押圧ローラ部５２とから構成されている（図７参照）。
【００３４】
前記押圧ローラ部５２は、一端側が前記軸支部６２，６２の内側に支持されて前方に延設されたローラ支持部６４，６４と、一対のローラ支持部６４，６４によって軸回転可能に支持された円筒状のローラ６６とを備えている。
【００３５】
該構成によれば、前工程において圃場面に敷設されたシート７ａを前記押圧ローラ部５２で押さえ、該押圧ローラ部５２で押さえられた状態のシート７ａを前記カッター６３によってスムーズに切断することができる。これにより、現在の作業工程と隣接する圃場面に敷設されたシート７ａを、走行機体３の前方側で切断することができる。
【００３６】
ちなみに、前記ローラ６６を軸支するローラ支持部６４は、カッター６３の軸芯側から後方斜め上方にも延設されることにより「く」の字状に形成されるとともに、該ローラ支持部６４が周辺の部品と異なる色（例えば赤色・黄色・青色等の目立つ色）に着色されている（図７参照）。
【００３７】
さらに、門型に形成された前記支持フレーム２４は、前記第１支持ブラケット５７と、第２支持ブラケット５７Ｂの下方側に前記視認部Ｓが形成されたことにより、操縦部１３側にいるオペレータが、視認部Ｓから前記カッター部５１を直接目視することができるように構成されている（図６及び図７参照）。
【００３８】
すなわち、該構成によれば、オペレータは、目立つ色で着色されるとともに、カッター６３の後方上側にも延設されることによって視認し易くなった前記ローラ支持部６４の操作位置を、操縦部１３側にいながら前記視認部Ｓから目視することによって、カッター部５１の操作位置をより明確且つスムーズに確認することができる。
【００３９】
前記連係機構５３は、前記操作レバー５４の基端側と、前記カッター部５１のアーム部材６１の基端側とを連係する連係ワイヤ６７と、該連係ワイヤ６７を前記支持ブラケット６７側に取付支持する固定部材６８とを備え、該連係ワイヤ６７は、操作レバー５４とアーム部材６１とを連結するインナワイヤ６７Ａと、該インナワイヤ６７Ａが挿通されるとともに固定部材６８側に支持されるアウタワイヤ６７Ｂとから構成されている。
【００４０】
具体的に説明すると、前記アウタワイヤ６７Ｂの後端（操作レバー５４）側は、前記第２支持ブラケット５７Ｂの走行機体３内面側に固定されたアングル状のレバー側固定部材６８Ａによって固定され、該アウタワイヤ６７Ｂの前端（アーム部材６１）側は、前記第３支持ブラケット５７Ｃの走行機体３外面側に固定されたアングル状のアーム側固定部材６８Ｂによって固定されている。また、該アウタワイヤ６７Ｂは、レバー側固定部材６８Ａと、アーム側固定部材６８Ｂの間の中途部が、前記第３支持ブラケット５７Ｃを左右方向に貫通することにより、支持ブラケット５７の走行機体３内面側から走行機体３の外面側に向けて配索されている（図５乃至８参照）。
【００４１】
また、前記インナワイヤ６７Ａは、その一端側が前記操作レバー５４の基端側に連結される一方で、その他端側が前記アーム部材６１の基端側に連結されている。これにより、前記操作レバー５４の揺動操作に応じてインナワイヤ６７Ａが押引き操作されて、前記カッター部５１の姿勢（位置）が切換えられるように構成されている。
【００４２】
具体的には、前記操作レバー５４が上方揺動操作された場合には、インナワイヤ６７Ａが緩むことにより前記カッター部５１が圃場面側に作用する作用姿勢に切換えられ（図４参照）、前記操作レバー５４が下方揺動操作された場合には、インナワイヤ６７Ａを介して前記カッター部５１が上方揺動側に引っ張られることにより、カッター部５１が前記施肥タンク１９の下方側に格納される格納姿勢に切換えられる（図示しない）。
【００４３】
このとき、前記格納部５６は、施肥タンク１９の下方側に配置されて、格納姿勢に切換えられたカッター部５１の左右側方と、上方側と、下方側とを覆うカバー体となるように形成されている。該格納部５６によって、格納姿勢に切換えられたカッター部５１が覆われることにより、切断装置２１を使用しない場合に、露出したカッター部５１が施肥タンク１９近傍で作業している作業者や障害物等に接触する事態を確実に防止することができる。
【００４４】
前記操作レバー５４は、上下揺動可能に前記第１支持ブラケット５７Ａの後部側であって且つ走行機体３内面側に、前後揺動可能に取付支持されており、その基端側に操作レバー５４の前後揺動操作に応じて押引き操作される前記連係機構５３（インナワイヤ６７Ａ）が連結されている。
【００４５】
該構成により、該操作レバー５４は、支持フレーム２４の後端側、言い換えると、操縦席１３の前方斜め左右外側に配置されている（図５参照）ため、該操作レバー２４は、オペレータが座席２７に着座した状態で該操作レバー５４の操作状況をスムーズに視認することができる。
【００４６】
前記予備ロールカバー部２３は、前記予備ロール支持部２２によって走行機体３の側方側に保持されたロール体７を覆うカバー体７１と、該カバー体７１を前記支持フレーム２４側に支持するカバー体支持部７２とを備えている。
【００４７】
前記カバー体７１は、前記予備ロール保持部２２によって走行機体３の側方側に保持されたロール体７に沿って走行機体３の前端側から後端側に亘って前後方向に延設されており（図１等参照）、該ロール体７の上面側と、左右両側面側とを覆うように断面逆Ｕ字状に形成されている。これにより、予備ロール保持部２２によって走行機体３の側方側に保持された予備のロール体７が、雨風に晒されて劣化したり、作業走行中に障害物と接触して破損したりする事態を確実に防止することができる。
【００４８】
また、該カバー体７１は、前後方向の中央前寄りを境にして前カバー体７１Ａと、後カバー体７１Ｂとで前後に分割形成されており、該後カバー体７１Ｂが前カバー体７１Ａ側に向かって上方回動させることができるように蝶番７３（回動軸）を介して連結されている（図１及び図４参照）。
【００４９】
該構成によれば、前記カバー体７１は、後カバー体７１Ｂを前カバー体７１Ａと前後に並べてロール体７の全体を覆うカバー姿勢と、後カバー体７１Ｂを上方回動させて前カバー体７１Ａの上面側に重ねるようにして退避させた退避姿勢（図示しない）とに切換えることができる。これにより、該カバー体７１を使用しない場合には、カバー体７１を退避姿勢に切換えることにより、操縦部１３の側方側の乗降口を開放することができるため、作業者が操縦部１３への乗降りする際に、カバー体７１が邪魔にならないようにすることができる。
【００５０】
ちなみに、前記蝶番７３側と前記後カバー体７１Ｂの前部側との間に、一対のスプリング７５，７５を設けたことにより、前記後カバー体７１Ｂの上方揺動作動が補助されるため、よりスムーズに後カバー体７１Ｂを操作することができる（図４及び図５参照）。
【００５１】
前記カバー体支持部７２は、前記支持フレームの上面側から上方に向けて立設されるように取付固定された立設部７６と、該立設部の上端側から左右外側に向かって延設された棒状部材からなる延設部７７と、該延設部７７の端部側と、カバー体７１（前カバー体７１Ａ）の上面側とを連結する連結板７８とから構成されている（図４、図５及び図８参照）。
【００５２】
該構成によれば、前記カバー体支持部７２は、前記支持フレーム２４の上面側に取付支持されるとともに、前記施肥タンク１９と、前記予備苗台１２との間に形成される空間に配置された状態で、前記施肥タンク１９の左右外側に配置される前記カバー体７１（前カバー体７１Ａ）を支持することができるため、該カバー体支持部７２をスペース効率良く配置することができる。
【００５３】
また、該カバー体支持部７２を走行機体３側に支持するための部材の一部として前記支持フレーム２４が兼用されるため、部品点数が削減されてカバー体７１を設置するためのコストを低く抑えることができる。
【符号の説明】
【００５４】
３    走行機体
６    植付作業機
７    ロール体（シートロール）
８    シート敷設機構
１２    予備苗台
１９    施肥タンク
２１    切断装置
２４    支持フレーム（支持部材）
５１    カッター部
５４    操作レバー
７１    カバー体
７２    カバー体支持部
【図１】
2019037195.tif 000003
【図２】
2019037195.tif 000004
【図３】
2019037195.tif 000005
【図４】
2019037195.tif 000006
【図５】
2019037195.tif 000007
【図６】
2019037195.tif 000008
【図７】
2019037195.tif 000009
【図８】
2019037195.tif 000010